(57)【要約】【課題】  折り畳んで積み重ねができ、携帯し易いポータブルチェアの構成を得る。【解決手段】  台座１、内支柱２一対、外支柱３一対、内支柱受４及び外支柱受５とから構成され、台座１は対面する二辺の鍔に台座スリット部６を、一方の二辺の両端部に内支柱通し部８を、内支柱２は内支柱スリット部７を有する。内支柱２及び外支柱３と台座１とを可動に取り付け、内支柱受４及び外支柱受５を内支柱２及び外支柱３に固着し、内支柱２と外支柱３とを可動に取り付ける。【選択図】  図１
2005052602.tif 000002
【特許請求の範囲】
【請求項１】
略箱型の台座（１）、アングル状の内支柱（２）一対、外支柱（３）一対、内支柱受（４）及び外支柱受（５）とから構成され、台座（１）は対面する二辺の鍔に台座スリット部（６）を、一方の二辺の両端部に内支柱通し部（８）を、内支柱（２）は内支柱スリット部（７）を有し、内支柱（２）及び外支柱（３）の上端部と台座スリット部（６）及び台座（１）の端部とを可動に取り付け、内支柱受（４）及び外支柱受（５）を内支柱（２）及び外支柱（３）各一対の下端部に固着し、内支柱スリット部（７）と外支柱（３）の中央部とを可動に取り付けたポータブルチェア。
【請求項２】
台座（１）に座席シート（９）を付帯し、内支柱受（４）にスペーサ（１０）を備えた請求項１記載のポータブルチェア。
【発明の詳細な説明】
【発明の詳細な説明】
【技術分野】
【０００１】  本考案は、主に地震等非常災害時、あるいはキャンプなど野外活動、又工場などにおける現場作業に使用される折畳み式のポータブルチェア関する。
【背景技術】
【０００２】  従来のポータブルチェアにおいては、パイプを曲げ加工した脚に座席を取り付け、折り畳めるようにしたものが知られている。
【発明が解決しようとする課題】
【０００３】  従来のポータブルチェアにあっては、折り畳んだ状態において平坦度が不十分なため、多数のポータブルチェアを保管する場合においては横並びに立掛けなければならず、また、個人が携帯し難いという問題点があった。
【０００４】  本発明は，従来の技術の有するこのような問題点に鑑みて、多数を保管する場合に折り畳んで積み重ねることでき、また、バッグなどにも収納し易く手軽に携帯のできるポータブルチェアを提供することを目的としている。
【課題を解決するための手段】
【０００５】  上記目的を達成するために、本発明のポータブルチェアは、略箱型の台座、アングル状の内支柱一対、外支柱一対、内支柱受及び外支柱受とから構成され、台座は対面する二辺の鍔に台座スリット部を、一方の二辺の両端部に内支柱通し部を、内支柱は内支柱スリット部を有し、そして、内支柱及び外支柱の上端部と台座スリット部及び台座の端部とを可動に取り付け、内支柱受及び外支柱受を内支柱及び外支柱の下端部に固着し、内支柱スリット部と外支柱の中央部とを可動に取り付けたものである。
【０００６】  また、ポータブルチェアを構成する部材には、金属の鋼板を箱型またアングル形状に曲げ加工したものや、成形加工したものなどを用いる。
【０００７】  そして、台座の表面上に座り心地をよくする座席シートを付帯することもできる。この場合、座席シートの厚みに相当するスペーサを内支柱受に取り付けて積み重ねのできる形状にするとよい。
【０００８】  上記のように構成されたポータブルチェアは、使用時には、荷重がスリット部を含む全ての取り付け個所の反力に対抗して固定的で安定した状態を維持するように働く。
【０００９】  そして、前記したスリット部に沿って台座または支柱をスライドさせると内支柱は台座の内支柱通し部を横切るのでポータブルチェアは平坦となり、積み重ねができ、携帯し易い箱型形状に折畳めるように機能する。
【発明を実施するための最良の形態】
【００１０】  発明の実施の形態を実施例に基づき図面を参照して説明する。
図１〜図３において、ポータブルチェアは略箱型の台座１、アングル状の内支柱２一対、外支柱３一対、内支柱受４及び外支柱受５とから構成され、鉄板又はステンレス鋼板を用い、板金加工又は成形加工により各々形成されている。そして、台座１は対面する二辺の鍔に台座スリット部６を、一方の二辺の両端部に内支柱通し部８を、内支柱２は内支柱スリット部７を有している。なお、台座スリット部６は内支柱２がスライドし、内支柱スリット部７は外支柱３がスライドする個所であり、内支柱通し部８は内支柱２が台座１を横切る個所である。【００１１】  そして、前記した構成物について、内支柱２及び外支柱３の上端部と台座スリット部６及び台座１の端部とを平ワッシャー１３と共にリベット１１を用いて可動に取り付け、内支柱受４及び外支柱受５を内支柱２及び外支柱３の下端部に溶接にて固着し、内支柱スリット部７と外支柱３の中央部とを平ワッシャー１３と共にリベット１２を用いて可動に取り付けている。【００１２】  図４に示される実施例では、図１〜図３における台座１に、矩形の座席シート９をネジ１４によって固定している。実施例では矩形だが円形、楕円形等とすることもできる。また、畳んだポータブルチェアを水平に積み重ねる目的で、座席シート９と同厚で樹脂製のスペーサ１０を内支柱受４に取り付けている。【００１３】  図５は、ポータブルチェアの折畳み過程を示すものである。【００１４】  図６は、図３のポータブルチェアを折り畳んで積み重ねた状態を示すものである。【００１５】  図７は、図４の座席シートを付帯したポータブルチェアを折り畳んで積み重ねた状態を示すものである。
【発明の効果】
【００１６】  本発明は、以上説明したように構成されているので、以下に記載されるような効果を奏する。
【００１７】  請求項１のポータブルチェアにおいては、スリット部と内支柱通し部を設けてあるので、台座又は支柱をスライドさせることにより纏まった数量を積み重ねることができ、携帯にも便利な箱型形状に折り畳むことができる。さらに、複数台数を並べて合板などを乗せれば即席の物置台などとして利用することができるほか、金属の板を板金又は成形加工することにより、簡単に製造することができ、軽量かつ外観的にもシンプルで安定性に優れている。
【００１８】  請求項２のポータブルチェアは、座席シートを付帯してあるので、より座り心地をよくすることができる。
【図面の簡単な説明】
【００１９】
【図１】  ポータブルチェアの正面外形図である。
【図２】  ポータブルチェアの側面外形図である。
【図３】  折り畳んだ状態を示す図である。
【図４】  座席シートを付帯して折り畳んだ状態を示す下面図である。
【図５】  折畳み過程を示す図である。
【図６】  折り畳んで積み重ねた図である。
【図７】  座席シートを付帯し、折り畳んで積み重ねた図である。
【符号の説明】
【００２０】１、台座
２、内支柱
３、外支柱
４、内支柱受
５、外支柱受
６、台座スリット部
７、内支柱スリット部
８、内支柱通し部
９、座席シート
１０、スペーサ
１１、１２  リベット
１３、平ワッシャー
１４、ネジ
【図１】
2005052602.tif 000003
【図２】
2005052602.tif 000004
【図３】
2005052602.tif 000005
【図４】
2005052602.tif 000006
【図５】
2005052602.tif 000007
【図６】
2005052602.tif 000008
【図７】
2005052602.tif 000009